【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
複数のデバイス(112, 308)をユーザ機器(106, 302)にバインドする方法であって、
前記ユーザ機器において、第1のネットワークを介して、前記複数のデバイスのうちの少なくとも1つからメッセージを受信するステップ(502)であって、前記メッセージが前記ユーザ機器に接続された前記デバイスを識別する情報を含む、受信するステップと、
前記ユーザ機器において、デバイス接続識別子を前記デバイスに割り当てるステップ(504)であって、前記デバイス接続識別子が前記ユーザ機器と関連付けられたユーザ機器識別子の少なくとも一部を含む、割り当てるステップと、
前記ユーザ機器において、ネットワークオペレータから前記デバイスへのデータ通信が前記デバイス接続識別子に少なくとも一部基づくように、第2のネットワークを介して、前記デバイス接続識別子の前記割り当てを示す情報を前記ネットワークオペレータに送信するステップ(506)と、
前記ユーザ機器において、前記デバイス接続識別子に少なくとも一部基づいて、前記第1のネットワークを介して、前記第2のネットワークを介して前記ユーザ機器によって受信される前記データ通信を、前記デバイスに送信するステップと
を含む方法。
【請求項２】
前記メッセージが前記デバイスに関するデバイスクラスをさらに含み、かつ、
前記デバイスの前記デバイス接続識別子および前記デバイスクラスのうちの1つまたは複数に少なくとも一部基づいて、前記デバイスに関するサービス品質を判断するステップをさらに含み、かつ/又は、
前記デバイスの前記デバイス接続識別子、前記デバイスの前記デバイスクラス、アクセスされたネットワークリソースの量、アクセスされたネットワークリソースのタイプ、およびネットワークアクセスの時間のうちの1つまたは複数に少なくとも一部基づいて、前記デバイスに関する課金情報を生成するステップをさらに含む、請求項1に記載の方法。
【請求項３】
前記デバイス接続識別子を前記割り当てるステップが、前記デバイス接続識別子にポート番号を割り当てるステップを含み、前記方法が、前記割り当てられたポート番号に少なくとも一部基づいて、前記デバイスと関連付けられたデータ通信を変換するステップをさらに含み、又は、
前記デバイス接続識別子を前記割り当てるステップがインターフェース識別子を前記デバイスに割り当てるステップを含む、請求項1に記載の方法。
【請求項４】
送信に先立って、前記デバイス接続識別子の前記割り当てを示す前記情報と前記デバイスを識別する前記情報とを暗号化するステップをさらに含み、かつ/又は、
前記割り当てを示す前記情報を前記送信するステップが、PPPまたはRSVPのうちの少なくとも1つに従って、前記情報を送信するステップを含み、かつ/又は、
前記デバイスに対する前記データ通信がパケットデータ通信を含み、前記パケットデータ通信が、前記デバイスに関する前記デバイス接続識別子を含み、前記パケットデータ通信が制御信号を前記デバイスに送信するように動作可能であり、かつ/又は、
前記データ通信がマシンツーマシン通信を含む、請求項1に記載の方法。
【請求項５】
複数の通信デバイスを局所的にホストするための装置であって、
第1のネットワークを介して、前記複数の通信デバイスのうちの少なくとも1つからメッセージを受信する手段であって、前記メッセージが前記装置に接続された前記通信デバイスを識別する情報を含む、受信する手段と、
デバイス接続識別子を前記通信デバイスに割り当てる手段であって、前記デバイス接続識別子が前記装置と関連付けられたユーザ機器識別子の少なくとも一部を含む、割り当てる手段と、
ネットワークオペレータから前記通信デバイスへのデータ通信が前記デバイス接続識別子に少なくとも一部基づくように、第2のネットワークを介して、前記デバイス接続識別子の前記割り当てを示す情報を前記ネットワークオペレータに送信する手段と、
前記デバイス接続識別子に少なくとも一部基づいて、前記第1のネットワークを介して、前記第2のネットワークを介して前記ユーザ機器によって受信される前記データ通信を、前記デバイスに送信する手段と
を備える装置。
【請求項６】
複数のデバイス(112, 308)をユーザ機器(106, 302)にバインドする方法であって、
前記ユーザ機器において、前記複数のデバイスのうちの少なくとも1つから、第1のネットワークを介して、前記ユーザ機器に接続された前記デバイスを識別する情報を含むメッセージを受信するステップと、
前記第1のネットワークを介して前記ユーザ機器に接続された前記デバイスに関する識別子を含む登録情報を第2のネットワークを介して前記ユーザ機器からネットワークオペレータに送信するステップ(702)と、
前記ユーザ機器において、前記ネットワークオペレータから前記デバイスに関するデバイス接続識別子を受信するステップ(704)であって、前記デバイス接続識別子が前記ユーザ機器と関連付けられたユーザ機器識別子の少なくとも一部を含み、前記デバイス接続識別子が前記第1のネットワーク上の前記デバイスと前記ユーザ機器との間の接続を示す、受信するステップと、
前記ユーザ機器において、前記デバイス接続識別子に少なくとも一部基づいて、前記ネットワークオペレータからデータ通信を受信するステップ(706)と、
前記ユーザ機器において、前記デバイス接続識別子に少なくとも一部基づいて、前記第1のネットワークを介して、前記第2のネットワークを介して前記ユーザ機器によって受信される前記データ通信を、前記デバイスに送信するステップと
を含む方法。
【請求項７】
前記第1のネットワークを介して、前記デバイスから前記ユーザ機器によって前記登録情報を受信するステップをさらに含む、請求項6に記載の方法。
【請求項８】
前記登録情報を前記送信するステップが、前記デバイスに関するデバイスクラスを送信するステップをさらに含み、
前記デバイス接続識別子および前記デバイスクラスのうちの1つまたは複数に少なくとも一部基づいて、前記デバイスに関するサービス品質を判断するステップをさらに含み、又は、
通信デバイスの前記デバイス接続識別子、前記通信デバイスの前記デバイスクラス、アクセスされたネットワークリソースの量、アクセスされたネットワークリソースのタイプ、およびネットワークアクセスの時間のうちの1つまたは複数に少なくとも一部基づいて、前記デバイスに関する課金情報を生成するステップをさらに含む、請求項6に記載の方法。
【請求項９】
複数のワイヤレスデバイスを局所的にホストするための装置であって、
前記複数のワイヤレスデバイスのうちの少なくとも1つから、第1のネットワークを介して、前記装置に接続された前記ワイヤレスデバイスを識別する情報を含むメッセージを受信する手段と、
前記第1のネットワークを介して前記装置に接続された前記ワイヤレスデバイスに関する識別子を含む登録情報を第2のネットワークを介して前記装置からネットワークオペレータに送信する手段と、
前記ネットワークオペレータから前記ワイヤレスデバイスに関するデバイス接続識別子を受信する手段であって、前記デバイス接続識別子が前記装置と関連付けられたユーザ機器識別子の少なくとも一部を含み、前記デバイス接続識別子が前記第1のネットワーク上の前記ワイヤレスデバイスと前記装置との間の接続を示す、受信する手段と、
前記第2のネットワークを介して、前記デバイス接続識別子に少なくとも一部基づいて、前記ネットワークオペレータからデータ通信を受信する手段と、
前記デバイス接続識別子に少なくとも一部基づいて、前記第1のネットワークを介して、前記第2のネットワークを介して前記ユーザ機器によって受信される前記データ通信を、前記デバイスに送信する手段と
を備える装置。
【請求項１０】
デバイス(112, 308)をユーザ機器(106, 302)にバインドする方法であって、
第1のネットワークを介して、前記デバイスから前記ユーザ機器にメッセージを送信するステップ(902)であって、前記メッセージが前記第1のネットワークを介して前記ユーザ機器に接続された前記デバイスを識別する情報を含む、送信するステップと、
前記デバイスにおいて、前記第1のネットワークを介して、前記デバイスにおいて前記ユーザ機器からデバイス接続識別子を受信するステップ(904)であって、前記デバイス接続識別子が前記ユーザ機器と関連付けられたユーザ機器識別子の少なくとも一部を含む、受信するステップと、
前記デバイスにおいて、前記第1のネットワークを介して、前記デバイス接続識別子に少なくとも一部基づいて、前記ユーザ機器からデータ通信を受信するステップ(906)であって、前記データ通信が第2のネットワークを介して前記ユーザ機器によって受信される、受信するステップと
を含む方法。
【請求項１１】
前記第1のネットワークがローカルエリアネットワークを含み、かつ/又は、
前記第2のネットワークがローカルエリアネットワークおよび広域ネットワークのうちの少なくとも1つを含み、かつ/又は、
前記デバイスに関する識別子が媒体アクセス制御識別子を含む、請求項1、6、又は10のいずれか１項に記載の方法。
【請求項１２】
前記送信するステップが、前記デバイスに関するデバイスクラスを送信するステップをさらに含み、かつ、
前記デバイス接続識別子および前記デバイスクラスのうちの1つまたは複数に少なくとも一部基づく前記デバイスに関するサービス品質を受信するステップをさらに含む、請求項10に記載の方法。
【請求項１３】
前記メッセージを前記送信するステップが無線で送信するステップを含み、かつ/又は、
前記ユーザ機器識別子が媒体アクセス制御識別子を含み、かつ/又は、
前記デバイス接続識別子がインターフェース識別子およびポートのうちの少なくとも1つを含み、かつ/又は、
前記データ通信を前記受信するステップがパケットデータネットワーク通信を受信するステップを含む、請求項6又は10に記載の方法。
【請求項１４】
ユーザ機器にバインドするための装置であって、
第1のネットワークを介して、デバイスから前記ユーザ機器にメッセージを送信する手段であって、前記メッセージが前記ユーザ機器に接続された前記装置を識別する情報を含む、送信する手段と、
前記第1のネットワークを介して、前記装置において前記ユーザ機器からデバイス接続識別子を受信する手段であって、前記デバイス接続識別子が前記ユーザ機器と関連付けられたユーザ機器識別子の少なくとも一部を含む、受信する手段と、
前記第1のネットワークを介して、前記デバイス接続識別子に少なくとも一部基づいて、前記ユーザ機器からデータ通信を受信する手段であって、前記データ通信が第2のネットワークを介して前記ユーザ機器によって受信される、受信する手段と
を備える装置。
【請求項１５】
ユーザ機器にバインドするための装置のプロセッサによって実行可能な命令を備えたコンピュータ可読記憶媒体であって、前記命令が前記装置に、請求項1乃至4、6乃至8、又は10乃至13のいずれか１項に記載の方法を実行させる、コンピュータ可読記憶媒体。